(57)【要約】      （修正有）【課題】キャップ本体を二次型に位置決めセットする作業及び成型後の取り出し作業を簡単化し高速化して量産を容易とし、コストダウンが図れるシールキャップを提供する。【解決手段】容器本体１の開口部２の外周面に螺旋状に形成された雄ネジ部３に螺合装着される雌ネジ部４を内周面に形成したキャップ本体５と、該キャップ本体５の内天井面６に容器本体１の開口部２の頂面７に密着させるために配置されたシールパッキン部分８を設ける。さらに、前記キャップ本体５の天井面６，９に形成された１乃至複数個の連通孔１２を通して前記シールパッキン部分８と一体的に連結形成されたカバー部分１１とを有するシールキャップにおいて、前記カバー部分１１は、前記キャップ本体５の外側天井面９を覆う領域にだけ形成されている。【選択図】図１
0003172521.tif 000002
【実用新案登録請求の範囲】
【請求項１】
容器本体（１）の開口部（２）の外周面に螺旋状に形成された雄ネジ部（３）に螺合装着される雌ネジ部（４）を内周面に形成したキャップ本体（５）と、該キャップ本体（５）の内天井面（６）に容器本体（１）の開口部（２）の頂面（７）に密着させるために配置されたシールパッキン部分（８）と、前記キャップ本体（５）の天井面（６，９）に形成された１乃至複数個の連通孔（１２）を通して前記シールパッキン部分（８）と一体的に連結形成されたカバー部分（１１）とを有するシールキャップにおいて、
前記カバー部分（１１）は、前記キャップ本体（５）の外側天井面（９）を覆う領域にだけ形成されていることを特徴とするシールキャップ。
【請求項２】
前記キャップ本体（５）の外側天井面（９）の外側周囲には、環状凸部（１３）が形成されており、前記カバー部分（１１）は、この環状凸部（１３）で囲まれた凹部領域（１４）内に形成されていることを特徴とする請求項１に記載のシールキャップ。
【請求項３】
前記シールパッキン部分（８）には、容器本体（１）の開口部（２）の頂面（７）に当接する第１の環状凸部（１５）と、該開口部（２）の頂面（７）と内周面とのコーナー部（１７）に当接する第２の環状凸部（１６）との両方又はいずれか一方が垂設形成してあることを特徴とする請求項１又は２に記載のシールキャップ。
【請求項４】
前記キャップ本体（５）の下端には、容器本体（１）の開口部（２）の雄ネジ部（３）の下側外周面に形成された環状凸部（１８）に係合する抜け止め用突起（１９）を内周面に突設した開封確認用リング（２０）がキャップ本体（５）の周方向複数箇所で細い連結片（２１）を介して連結してあることを特徴とする請求項１〜３の何れか１項に記載のシールキャップ。
【考案の詳細な説明】
【技術分野】
【０００１】
本考案は、液体材料や粉粒体材料（例えば、薬品類、調味料類、化粧品類、食品類を含む）を充填したボトル等の容器の開口部に適用するためのシールキャップに関するものである。
【背景技術】
【０００２】
本出願人は、容器本体の開口部の外周面に螺旋状に形成された雄ネジ部に螺合装着される雌ネジ部を内周面に形成したキャップ本体と、該キャップ本体の内天井面に容器本体の開口部の頂面に密着させるために配置されたシールパッキン部分と、キャップ本体の外側天井面及び外側周囲面を覆うカバー部分とを有し、前記シールパッキン部分及びカバー部分を、エラストマー材料により、キャップ本体の天井面に形成された１乃至複数個の連通孔を通して一体的に連結形成したシールキャップを既に提案している（特許文献１参照）。
【先行技術文献】
【特許文献】
【０００３】
【特許文献１】実用新案登録第３１５７０９１号公報
【考案の概要】
【考案が解決しようとする課題】
【０００４】
前記シールキャップは、シールパッキン部分とカバー部分とを複数個の連通孔を通してキャップ本体の内天井面と外側天井面及び外側周囲面に一体的に連結形成したことによって、シールパッキン部分とキャップ本体との一体化が十分となり、反復使用している間にシールパッキン部分がキャップ本体からずれたり、外れる恐れがなく、例えば、業務用調味料容器のキャップに適用されている場合では、混練中の調理品や煮沸中の調理品の中に調味料を投入する際、該シールパッキン部分がキャップから外れて落下混入したり、また、調理場等の床面にシールパッキンが落下して、紛失したり、ばい菌等が付着したり、さらに、シールパッキンがキャップ内でずれ動いて容器の開口頂面からずれたり、傾いてシール作用が不完全となって、容器内に充填されている液体材料や粉粒体材料が、蒸散、吸湿、酸化、漏洩等、変質、劣化する等の問題点を解決することができる利点があった。
【０００５】
しかしながら、前記シールキャップは、シールパッキン部分と一体化されるカバー部分が、キャップ本体の外側天井面だけでなく、キャップ本体の外側周囲面をも覆う形状としていたため、次のような問題点があった。
即ち、前記シールキャップは、キャップ本体を一次型によりＰＰ（ポリプロピレン）等で先に製作しておき、これを二次型に位置決めセットしてシールパッキン部分及びカバー部分を成型（インサート成型）する必要があり、その際、キャップ本体を二次型内に位置決めセットするに当たり、キャップ本体の外側周囲面にはカバー部分の材料を注入充填させるための環状空間を形成確保させておく必要があるため該キャップ本体の外側周囲面を位置決めに利用することができず、やむを得ず、キャップ本体の内周面を位置決めに利用しているが、該キャップ本体の内周面には、容器本体の開口部の外周面に螺旋状に形成された雄ネジ部に螺合装着される雌ネジ部が形成されているため、この雌ネジ部に螺合する雄ネジ部を二次型に形成して螺合装着することにより位置決めしているため、成型前の二次型へのキャップ本体の装着、及び、成型後の二次型からの取り出し作業が複雑となり、高速化による量産が難しく、コストダウンの妨げとなる問題点があった。
【０００６】
本考案は、従来のシールキャップの前記問題点に鑑みて提案されたもので、その目的とするところは、キャップ本体を二次型に位置決めセットする作業及び成型後の取り出し作業を簡単化し高速化して量産を容易とし、コストダウンが図れるシールキャップを提供することにある。
【課題を解決するための手段】
【０００７】
前記目的を達成するために本考案は、容器本体の開口部の外周面に螺旋状に形成された雄ネジ部に螺合装着される雌ネジ部を内周面に形成したキャップ本体と、該キャップ本体の内天井面に容器本体の開口部の頂面に密着させるために配置されたシールパッキン部分と、キャップ本体の天井面に形成された１乃至複数個の連通孔を通して前記シールパッキン部分と一体的に連結形成されたカバー部分とを有するシールキャップにおいて、前記カバー部分は、前記キャップ本体の外側天井面を覆う領域にだけ形成されていることを特徴としている。
【０００８】
前記キャップ本体の外側天井面の外側周囲には、環状凸部が形成されており、前記カバー部分は、この環状凸部で囲まれた凹部領域内に形成されている。
この構成によれば、シールパッキン部分と一体的に連結形成されたカバー部分が、キャップ本体の外側周囲面にまで及んでいないため、該キャップ本体の外側周囲面に環状空間を形成確保しておく必要が無く、この部分を二次型内への位置決めセットするための部分として利用することができ、しかも、この部分には、キャップ本体の内周面のようなネジ部がないため、螺合させる必要が無く、そのため、キャップ本体を二次型に位置決めセットする作業及び成型後の取り出し作業を簡単化し高速化して量産を容易とし、コストダウンが図れる利点がある。
【０００９】
また、前記シールパッキン部分には、容器本体の開口部の頂面に当接する第１の環状凸部と、該開口部の頂面と内周面とのコーナー部に当接する第２の環状凸部との両方又はいずれか一方が垂設形成してある。
この構成によれば、キャップ本体を容器本体の開口部に螺合装着したとき、第１の環状凸部が容器本体の開口部の頂面に当接し、また、第２の環状凸部が該開口部の頂面と内周面とのコーナー部に当接することとによって、シール性が向上し、例えば、容器本体内に充填される内容物が膨張性のものである場合でも、前記第１の環状凸部及び／又は第２の環状凸部が容器本体の開口部の頂面及び／又はコーナー部に強く密着して確実にシールすることになる。
【００１０】
また、前記キャップ本体の下端には、容器本体の開口部の雄ネジ部の下側外周面に形成された環状凸部に係合する抜け止め用突起を内周面に突設した開封確認用リングがキャップ本体の周方向複数箇所で細い連結片を介して連結してあることを特徴としている。
この構成によれば、容器本体に充填された内容物を取り出すためにキャップ本体を螺合解除方向に回動させると、雄ネジ部に対する雌ネジ部の螺合関係により、キャップ本体が容器本体の開口部から抜け出す方向に移動し、この移動に対して、抜け止め用突起が容器本体の開口部の環状凸部に係合していることによって開封確認用リングの移動が阻止され、細い連結片が破断されて開封確認用リングが容器本体の開口部に残ったままとなる。これによって、キャップ本体の開封の有無を容易に確認することができる。また、容器本体内の内容物の膨張力によってキャップ本体が容器本体の開口部に対して螺合解除方向に回動しようとすることを開封確認用リングで防止させることができる。
【考案の効果】
【００１１】
本考案によれば、キャップ本体を二次型に位置決めセットする作業及び成型後の取り出し作業を簡単化し高速化して量産を容易とし、コストダウンが図れるシールキャップを提供することができる。
【図面の簡単な説明】
【００１２】
【図１】本考案に係るシールキャップの縦断正面図である。
【図２】本考案に係るシールキャップの底面図である。
【考案を実施するための形態】
【００１３】
以下、本考案の実施形態を図面を参照して説明する。
本考案のシールキャップは、図１、図２に示すように、容器本体１の開口部２の外周面に螺旋状に形成された雄ネジ部３に螺合装着される雌ネジ部４を内周面に形成したキャップ本体５と、該キャップ本体５の内天井面６に容器本体１の開口部２の頂面７に密着させるために配置されたシールパッキン部分８と、前記キャップ本体５の内外天井面６，９を貫通して形成された１乃至複数個の連通孔１２を通して一体的に連結形成されたカバー部分１１とを有する。上記連通孔１２の形状は、円形、角形、その他、任意の形状とすることができる。
【００１４】
前記カバー部分１１は、キャップ本体５の外側天井面９を覆う領域にだけ形成しており、キャップ本体５の外側周囲面１０を覆っていない。そのために、キャップ本体５の外側天井面９の外側周囲には、環状凸部１３が形成されており、前記カバー部分１１は、この環状凸部１３で囲まれた凹部領域１４内に前記材料が注入充填乃至射出充填されて形成されている。尚、カバー部分１１は、キャップ本体５の外側天井面９の全域を覆うように形成し、環状凸部１３は省略してもよい。
【００１５】
前記シールパッキン部分８及びカバー部分１１は、用途に応じて、エラストマー材料又はシリコン材料（例えば、耐酸性又は耐強アルカリ性を要求される用途などの場合）により成型される。
前記シールパッキン部分８には、容器本体１の開口部２の頂面７に当接する第１の環状凸部１５と、該開口部２の頂面７と内周面とのコーナー部１７に当接する第２の環状凸部１６との両方又はいずれか一方が垂設形成してある。尚、シールパッキン部分８の下面（容器本体１の開口部２の頂面７に当接する面）には、上記第１・第２の環状凸部１５，１６を設けず、フラット面としておいてもよい。
【００１６】
前記キャップ本体５の下端には、容器本体１の開口部２の雄ネジ部の下側外周面に形成された環状凸部１８に係合する抜け止め用突起１９を内周面に突設した開封確認用リング２０がキャップ本体５の周方向複数箇所で細い連結片２１を介して連結してある。
容器本体１は、例えば、ＨＤＰＥ（高密度ポリエチレン）、又は、他のプラスチック材料で中空成形又は遠心ブロー成型等で成形されている。しかし、容器本体１は、ガラス材料で製造されていてもよい。また、容器本体１は、ボトル形状に限らず、パウチ容器形状であってもよい。
【００１７】
キャップ本体５は、例えば、ＰＰ（ポリプロピレン）、又は、他のプラスチック材料で射出成形されており、開封確認用リング２０も同時に成形される。
シールパッキン部分８及びカバー部分１１を構成するエラストマー材料としては、ＳＥＢＣ、スチレン・エチレンブチレン・オレフィン結晶、ＣＥＢＣ、オレフィン結晶・エチレンブチレン・オレフィン結晶、ＨＳＢＲ、水添スチレンブタジエンラバー、ＰＥ・ＬＤ、ＰＥＬ−ＬＤ、メタロセン系ＰＥ、エラストマー（スチレン系ＰＳ）、エラストマー（オレフィン系）、ウレタン（ＰＵＲ）、塩化ビニール（ＰＶＣ）、エバー（ＥＶＡ）、エバー（ＥＥＡ）、酢酸（ＰＶＡＣ）、フッソ系（ＰＶＤＦ）、ポリエステル系、ポリウレタン系、ポリエーテル系、シリコン等が例示される。
【００１８】
本考案のシールキャップは、容器本体１の開口部２の外周面に螺旋状に形成された雄ネジ部３に螺合装着される雌ネジ部４を内周面に形成したキャップ本体５と、該キャップ本体５の内天井面６に容器本体１の開口部２の頂面７に密着させるために配置されたシールパッキン部分８と、キャップ本体５の天井面に形成された１乃至複数個の連通孔１２を通して前記シールパッキン部分８と一体的に連結形成されたカバー部分１１とを有するシールキャップにおいて、前記カバー部分１１は、前記キャップ本体５の外側天井面９を覆う領域にだけ形成されていることを特徴としている。
【００１９】
前記キャップ本体５の外側天井面９の外側周囲には、環状凸部１３が形成されており、前記カバー部分１１は、この環状凸部１３で囲まれた凹部領域１４内に形成されている。
この構成によれば、シールパッキン部分８と一体的に連結形成されたカバー部分１１が、キャップ本体５の外側周囲面１０にまで及んでいないため、該キャップ本体５の外側周囲面１０に環状空間を形成確保しておく必要が無く、この部分を二次型内への位置決めセットするための部分として利用することができ、しかも、この部分には、キャップ本体５の内周面のような雌ネジ部４がないため、螺合させる必要が無く、そのため、キャップ本体５を二次型に位置決めセットする作業及び成型後の取り出し作業を簡単化し高速化して量産を容易とし、コストダウンが図れる。
【００２０】
また、前記シールパッキン部分８には、容器本体１の開口部２の頂面７に当接する第１の環状凸部１５と、該開口部２の頂面７と内周面とのコーナー部１７に当接する第２の環状凸部１６との両方又はいずれか一方が垂設形成してある。
この構成によれば、キャップ本体５を容器本体１の開口部２に螺合装着したとき、第１の環状凸部１５が容器本体１の開口部２の頂面７に当接し、また、第２の環状凸部１６が該開口部２の頂面７と内周面とのコーナー部１７に当接することとによって、シール性が向上する。例えば、容器本体１内に充填される内容物が膨張性のものである場合でも、前記第２の環状凸部１６が容器本体１の開口部２のコーナー部１７に強く食い込むように密着してシール面積を増大させた状態で密着させることができる。また、第１の環状凸部１５が開口部２の頂面７に密着してシールすることになり、これら両方を設けた場合は、二重にシールすることになるため確実にシールすることができ、勿論、何れか一方だけでもよい。
【００２１】
また、本考案のシールキャップは、キャップ本体５とシールパッキン部分８との一体化が確実となり、キャップ本体５におけるシールパッキン部分８のずれや脱落を防止することができる。しかも、エラストマー材料からなるカバー部分１１でキャップ本体５の外側天井面９を覆っているため、手に馴染みやすく、かつ、滑り難くなり、容器本体１に対するキャップ本体５の開け閉めを容易とすることができる。さらに、エラストマー材料に種々の着色剤を混入して、キャップ本体５の色調に対して、カバー部分１１を異色の種々の色調に着色することができ、これによって、容器本体内に充填される材料の用途表示や品質表示、取扱注意表示、例えば、薬品類では、赤色は有毒物乃至危険物、黄色は・・・、青色は・・・等が可能となり、また、化粧品類では、高級感や上品なイメージを付与する等の等級の識別に利用することができ、調味料類でも種類など同様な識別に利用することができる。
【００２２】
また、前記キャップ本体５の下端には、容器本体１の開口部２の雄ネジ部３の下側外周面に形成された環状凸部１８に係合する抜け止め用突起１９を内周面に突設した開封確認用リング２０がキャップ本体５の周方向複数箇所で細い連結片２１を介して連結してあるため、容器本体１に充填された内容物を取り出すためにキャップ本体５を螺合解除方向に回動させると、雄ネジ部３に対する雌ネジ部４の螺合関係により、キャップ本体５が容器本体１の開口部２から抜け出す方向に移動し、この移動に対して、抜け止め用突起１９が容器本体１の開口部２の環状凸部１８に係合していることによって開封確認用リング２０の移動が阻止され、細い連結片２１が破断されて開封確認用リング２０が容器本体１の開口部２に残ったままとなる。これによって、キャップ本体５の開封の有無を容易に確認することができる。また、容器本体１内の内容物の膨張力によってキャップ本体５が容器本体１の開口部２に対して螺合解除方向に回動しようとすることを開封確認用リング２０で防止させることができる。
【００２３】
上記した実施形態において、カバー部分１１は、連通孔１２を通してキャップ本体５の外側天井面９の任意の範囲までを覆う状態でシールパッキン部分８と一体的に連結形成されていてもよい。
【産業上の利用可能性】
【００２４】
本考案のシールキャップは、プラスチック製ボトル、金属製ボトル、ガラス製ボトル、その他、パウチ形状容器等の各種の容器本体の開口部を密封する手段に広く利用することができる。
【符号の説明】
【００２５】
１    容器本体
２    開口部
３    雄ネジ部
４    雌ネジ部
５    キャップ本体
６    内天井面
７    頂面
８    シールパッキン部分
９    外側天井面
１０    外側周囲面
１１    カバー部分
１２    連通孔
１３    環状凸部
１４    凹部領域
１５    第１の環状凸部
１６    第２の環状凸部
１７    コーナー部
１８    環状凸部
１９    抜け止め用突起
２０    開封確認用リング
２１    連結片
【図１】
0003172521.tif 000003
【図２】
0003172521.tif 000004